(57)【要約】【課題】光ディスク再生時にコンテンツを光ディスクからHDにダビングしながら再生し、ダビング終了後の次回に該コンテンツが指定された場合、短いシーク時間で済むようにしたHD付き光ディスク再生装置を提供する。【解決手段】ＭＰＵ１０５は、光ディスクDに記録されている所望のコンテンツを光ディスクドライブ１１８に等倍速よりも早い2倍速で読取らせ、且つ、読取られた該所望のコンテンツをHD１２０aへHDD１２０に順次記録させる（ｓ１０）。この際、データプロセッサ１９９とバッファメモリ１９９aとを介在させる。次に、ＭＰＵ１０５は、HD１２０aへ記録した順に該所望のコンテンツを読取ることをHDD１２０に行わせ、データプロセッサ１１９を介してデコーダ１０６に等倍速で入力する（ｓ１１）。【選択図】図２
2007213707.tif 000002
【特許請求の範囲】
【請求項１】
ドライブ装置本体にセットされている光ディスクにピックアップヘッドからレーザ光を照射し、その光ディスクに対して、データの読取を行う光ディスクドライブと、
ハードディスク及び磁気ヘッドを内蔵し、該磁気ヘッドを用いることにより、該ハードディスクに対してデータの記録および記録されているデータの読取を行うハードディスクドライブと、を備えるHD付きDVDプレーヤにおいて、
前記光ディスクドライブにセットされている光ディスクに記録されているコンテンツの中から所望のコンテンツを再生するために、該所望のコンテンツを指定する操作手段と、
前記操作手段において前記所望のコンテンツが指定された際、前記操作手段において前記所望のコンテンツが指定された際、前記ハードディスクに該所望のコンテンツが記録されているか否かを判断し、前記ハードディスクに前記所望のコンテンツが記録されていないと判断すると、該所望のコンテンツを前記ハードディスクにダビングすることを許可するか否かの表示を行い、前記光ディスクに記録されている前記所望のコンテンツを前記光ディスクドライブに等倍速よりも早い速度で読取らせ、該所望のコンテンツを前記ハードディスクに前記ダビングしながら該等倍速の再生を行う記録再生手段と、を備え、
前記記録再生手段は、前記ハードディスクに前記所望のコンテンツが記録されていると判断すると、該ハードディスクから該所望のコンテンツを前記ハードディスクドライブに読取らせ、再生し、
前記記録再生手段は、前記ダビングすることを許可する旨の操作があった場合、前記ダビングを行い、
前記記録再生手段は、前記ダビングすることを許可しない旨の操作があった場合、前記ダビングを禁止するHD付きDVDプレーヤ。
【請求項２】
ドライブ装置本体にセットされている光ディスクにピックアップヘッドからレーザ光を照射し、その光ディスクに対して、データの読取を行う光ディスクドライブと、
ハードディスク及び磁気ヘッドを内蔵し、該磁気ヘッドを用いることにより、該ハードディスクに対してデータの記録および記録されているデータの読取を行うハードディスクドライブと、を備えるHD付き光ディスク再生装置において、
前記光ディスクドライブにセットされている光ディスクに記録されているコンテンツの中から所望のコンテンツを再生するために、該所望のコンテンツを指定する操作手段と、
前記操作手段において前記所望のコンテンツが指定された際、前記光ディスクに記録されている前記所望のコンテンツを前記光ディスクドライブに読取らせ、該所望のコンテンツを前記ハードディスクにダビングしながら再生する記録再生手段と、を備えたことを特徴とするHD付き光ディスク再生装置。
【請求項３】
前記記録再生手段は、前記操作手段において前記所望のコンテンツが指定された際、前記ハードディスクに該所望のコンテンツが記録されているか否かを判断し、
前記記録再生手段は、前記ハードディスクに前記所望のコンテンツが記録されていないと判断すると、前記光ディスクに記録されている前記所望のコンテンツを前記光ディスクドライブに読取らせ、該所望のコンテンツを前記ハードディスクにダビングしながら再生し、
前記記録再生手段は、前記ハードディスクに前記所望のコンテンツが記録されていると判断すると、該ハードディスクから該所望のコンテンツを前記ハードディスクドライブに読取らせ、再生する請求項２に記載のHD付き光ディスク再生装置。
【請求項４】
前記記録再生手段は、前記ハードディスクに前記所望のコンテンツが記録されていないと判断すると、前記光ディスクに記録されている前記所望のコンテンツを前記光ディスクドライブに等倍速よりも早い速度で読取らせ、且つ、読取られた該所望のコンテンツを前記ハードディスクへ順次記録し、該ハードディスクへ記録した順に該所望のコンテンツを読取ることを前記ハードディスクドライブに行わせることにより、前記ダビングしながら該等倍速の再生を行う請求項２又は３に記載のHD付き光ディスク再生装置。
【請求項５】
前記記録再生手段は、前記ハードディスクに前記所望のコンテンツが記録されていないと判断すると、該所望のコンテンツを前記ハードディスクにダビングすることを許可するか否かの表示を行い、
前記記録再生手段は、前記ダビングすることを許可する旨の操作があった場合、前記ダビングを行い、
前記記録再生手段は、前記ダビングすることを許可しない旨の操作があった場合、前記ダビングを禁止する請求項２から４のいずれかに記載のHD付き光ディスク再生装置。
【発明の詳細な説明】
【技術分野】
【０００１】
本発明は、光ディスクからデータを読取る光ディスクドライブと、データの記録および記録されているデータの読取を行うハードディスクドライブと、を備えるHD付き光ディスク再生装置に関するものである。
【背景技術】
【０００２】
従来より、光ディスクからデータを読取る光ディスクドライブと、ハードディスク（以下、「HD」と称する）に対しデータの記録および記録されているデータの読取を行うハードディスクドライブ（以下、「HDD」と称する）と、両記憶手段に記録されているコンテンツの中から所望のコンテンツを再生するために、該所望のコンテンツを指定する操作手段と、を備えるHD付き光ディスク再生装置があった。光ディスクは、例えばDVD、又はCDである。HD付き光ディスク再生装置は、例えばHD付きDVDプレーヤ、又はHD付きDVDレコーダである。
なお、上記両記憶手段は、HDと、光ディスクドライブにセットされている光ディスクと、を指している。
【０００３】
光ディスクドライブは、ドライブ装置本体にセットされている光ディスクにピックアップヘッド（以下、「ＰＵヘッド」称する）からレーザ光を照射し、その光ディスクからの反射光をフォトディテクタで検出することにより、データの読取を行う。
HDDは、ハードディスク及び磁気ヘッド等を内蔵し、該磁気ヘッドを用いることにより、該ハードディスクに対してデータの記録および記録されているデータの読取を行う。詳述すると、データの読取は、ハードディスクの磁化パターンを磁気ヘッドで読取ることにより行なわれる。逆に、データの記録は、磁気ヘッドから磁界を印加することによってハードディスクの磁化を反転させ、磁化パターンを生成することにより行なわれる。
【０００４】
このようなHD付き光ディスク再生装置において、ユーザは操作手段で操作することにより、両記憶手段に記録されているコンテンツの中から所望のコンテンツを指定して再生を行っていた。コンテンツは、画像データ又は音声データ等であり、例えばTV番組、又は音楽である。
詳述すると、光ディスクドライブにセットされている光ディスクに記録されているコンテンツの中から所望のコンテンツが指定されると、光ディスクドライブは、ＰＵヘッドを該所望のコンテンツが記録されている光ディスク上の位置までシークさせる。その後、光ディスクドライブは、その位置から該所望のコンテンツを読取って、上記再生を行う。
ここで、シークは、スレッドモータによるPUヘッドの物理的移動と、その物理的移動後のトラッキングと、を含む。
また、HDDに記録されているコンテンツの中から所望のコンテンツが指定されると、HDDは、磁気ヘッドを該所望のコンテンツが記録されているHD上の位置までシークさせる。その後、HDDは、その位置から該所望のコンテンツを読取って、上記再生を行う。このシーク時間は、マシンのスペック（能力）にもよるが、例えば２０ミリ秒である。
【０００５】
一方、特許文献１に記載されたような光ディスク装置が提案されている。
この光ディスク装置は、装置本体にセットされている光ディスクを所定の倍速で再生する再生手段と、該所定の倍速で再生したデータのエラーレートを検出するエラー検出部と、そのエラーレートが予め定められたエラーレートの値以下となるか否かを判定する制御部と、を備える。
このような構成において光ディスク装置は、高倍速でＭＤ（Mini  Disk）へダビングする場合、光ディスクを６倍速、４倍速、２倍速、１倍速の順で再生し、予め定められたエラーレートの値以下となるときの速度で、光ディスクを再生する。
【特許文献１】特開２００３−３３１５３８公報
【発明の開示】
【発明が解決しようとする課題】
【０００６】
しかしながら、ＰＵヘッドのシーク時間と磁気ヘッドのシーク時間とを比較すると、光ディスクドライブのシーク時間の方がHDDのシーク時間より非常に長い。
そのため、HDDでなく、光ディスクドライブにセットされている光ディスクに記録されているコンテンツの中から所望のコンテンツが指定されると、従来のHD付き光ディスク再生装置は、そのシーク時間の長さからユーザに苛立ちを与えていた点問題があった。
また、特許文献１において、装置本体にセットされている光ディスクに記録されているコンテンツの中から所望のコンテンツが指定されると、上記光ディスク装置は、ＰＵヘッドを該所望のコンテンツが記録されている光ディスク上の位置までシークさせる。従って、上記光ディスク装置は、そのシーク時間の長さから、従来のHD付き光ディスク再生装置と同様の問題が生じる。
【０００７】
本発明はこのような従来の課題を解決しようとするものであり、光ディスク再生時にコンテンツを光ディスクからHDにダビングしながら再生し、ダビング終了後の次回に該コンテンツが指定された場合、短いシーク時間で済むようにしたHD付き光ディスク再生装置を提供することを目的とする。
【課題を解決するための手段】
【０００８】
本発明のHD付き光ディスク再生装置は、前記課題を解決するために以下の構成を備えている。
【０００９】
（１）ドライブ装置本体にセットされている光ディスクにピックアップヘッドからレーザ光を照射し、その光ディスクに対して、データの読取を行う光ディスクドライブと、
ハードディスク及び磁気ヘッドを内蔵し、該磁気ヘッドを用いることにより、該ハードディスクに対してデータの記録および記録されているデータの読取を行うハードディスクドライブと、を備えるHD付き光ディスク再生装置において、
前記光ディスクドライブにセットされている光ディスクに記録されているコンテンツの中から所望のコンテンツを再生するために、該所望のコンテンツを指定する操作手段と、
前記操作手段において前記所望のコンテンツが指定された際、前記光ディスクに記録されている前記所望のコンテンツを前記光ディスクドライブに読取らせ、該所望のコンテンツを前記ハードディスクにダビングしながら再生する記録再生手段と、を備えたことを特徴とする。
【００１０】
この構成において、光ディスクは、例えばDVD、又はCDである。HD付き光ディスク再生装置は、例えばHD付きDVDプレーヤ、又はHD付きDVDレコーダである。コンテンツは、画像データ又は音声データ等であり、例えばTV番組、又は音楽である。記録は、録画及び録音を含む概念である。
記録再生手段は、光ディスク再生時にコンテンツを光ディスクからHDにダビングしながら再生する。ダビング終了後の次回においてHDに記録されたコンテンツが指定された場合、HDDから再生する。
以上より、ダビング終了後の次回において、HDに記録されたコンテンツが指定された場合、短いシーク時間で済む。
従って、ダビング終了後の次回において、シーク時間による苛立ちをユーザに与えないようにすることができるという効果を奏する。
【００１１】
（２）前記記録再生手段は、前記操作手段において前記所望のコンテンツが指定された際、前記ハードディスクに該所望のコンテンツが記録されているか否かを判断し、
前記記録再生手段は、前記ハードディスクに前記所望のコンテンツが記録されていないと判断すると、前記光ディスクに記録されている前記所望のコンテンツを前記光ディスクドライブに読取らせ、該所望のコンテンツを前記ハードディスクにダビングしながら再生し、
前記記録再生手段は、前記ハードディスクに前記所望のコンテンツが記録されていると判断すると、該ハードディスクから該所望のコンテンツを前記ハードディスクドライブに読取らせ、再生する。
【００１２】
この構成では、光ディスクに記録されているコンテンツと同一のコンテンツがHDに存在するにも係わらず、光ディスクのコンテンツの方を指定してしまったケースを想定している。
このケースの具体例は、光ディスクドライブのシーク時間の方がHDDのシーク時間より非常に長いことを知らないユーザによる指定、又は操作ミスである。
従って、ダビング終了後の次回において、光ディスクドライブのシーク時間の方がHDDのシーク時間より非常に長いことを知らないユーザであっても、また、操作ミスをしてしまったユーザであっても、シーク時間による苛立ちを該ユーザに与えないようにすることができるという効果を奏する。
【００１３】
（３）前記記録再生手段は、前記ハードディスクに前記所望のコンテンツが記録されていないと判断すると、前記光ディスクに記録されている前記所望のコンテンツを前記光ディスクドライブに等倍速よりも早い速度で読取らせ、且つ、読取られた該所望のコンテンツを前記ハードディスクへ順次記録し、該ハードディスクへ記録した順に該所望のコンテンツを読取ることを前記ハードディスクドライブに行わせることにより、前記ダビングしながら該等倍速の再生を行う。
【００１４】
この構成において、等倍速は、一般ユーザが耳にする通常の再生速度である。等倍速よりも早い速度は、例えば２倍速、４倍速、６倍速、又は８倍速である。
【００１５】
（４）前記記録再生手段は、前記ハードディスクに前記所望のコンテンツが記録されていないと判断すると、該所望のコンテンツを前記ハードディスクにダビングすることを許可するか否かの表示を行い、
前記記録再生手段は、前記ダビングすることを許可する旨の操作があった場合、前記ダビングを行い、
前記記録再生手段は、前記ダビングすることを許可しない旨の操作があった場合、前記ダビングを禁止する。
【００１６】
この構成において、上記表示は、表示器において行なうと良い。表示器は、モニター、テレビジョンである。また、上記表示は、例えば「指定されたコンテンツをHDにダビングしても良いですか？」である。
以上より、ユーザがHDへのダビングを望まない場合、該ダビングを取りやめることができるという効果を奏する。
【発明の効果】
【００１７】
この発明によれば、ダビング終了後の次回において、シーク時間による苛立ちをユーザに与えないようにすることができるという効果を奏する。
【発明を実施するための最良の形態】
【００１８】
以下、本発明の実施形態であるHD付きＤＶＤレコーダについて説明する。
【００１９】
図１は、本発明の実施形態であるHD付きＤＶＤレコーダの構成を示すブロック図である。
HD付きＤＶＤレコーダ１は、入力されたデータを所定の情報記憶媒体に記録し、再生指示に応じて既に記録されているデータを再生する記録再生部１０４と、録画指示に応じて記録再生部１０４への記録と記録再生部１０４からの再生と以下に説明する各部の動作とを制御するマイクロコンピュータ（ＭＰＵすなわち主制御装置）１０５と、を備える。
なお、この実施形態では、HD付き光ディスク再生装置としてHD付きＤＶＤレコーダを説明しているが、これに限定する趣旨でなく、HD付きＤＶＤプレーヤでも構わない。
【００２０】
記録再生部１０４は、例えばＤＶＤ（Ｄｉｇｉｔａｌ  Ｖｅｒｓａｔｉｌｅ  Ｄｉｓｋ）規格に準拠して製造された光ディスクＤに、（放送番組等の）データの記録及び再生が可能な光ディスクドライブ１１８と、大容量データを記録可能なＨＤ（ハードディスク）１２０aを内蔵するＨＤＤ（ハードディスクドライブ）１２０と、データプロセッサ１１９と、を備える。
なお、光ディスクＤは、例えばＤＶＤ−ＲOM、ＤＶＤ−Ｒ、ＤＶＤ−ＲW、又はＤＶＤ−ＲＡＭとする。
【００２１】
光ディスクドライブ１１８は、ドライブ装置本体１１８にセットされている光ディスクDにピックアップヘッド（以下、「ＰＵヘッド」称する。不図示）からレーザ光を照射し、その光ディスクに対して、データの読取を行う。
【００２２】
ＰＵヘッドは、図示しないレーザダイオード（ＬＤ）、コリメータレンズ、ビームスプリッタ、対物レンズ、フォトディテクタ、スレッドモータ、及び２軸のアクチュエータを備えている。
ＰＵヘッドは、光ディスクDの半径方向に延びる軸に移動自在に取り付けられている。スレッドモータが、ＰＵヘッドを光ディスクDの半径方向に移動する。
ＬＤは、レーザ光を出力する光源であり、フォトディテクタは、複数の受光素子で形成されており、光ディスクDからの反射光を検出する。フォトディテクタは、例えば、受光領域がほぼ均等に４分割されており、４つの受光領域を形成している。
対物レンズは、光ディスクDに対するレーザ光の照射位置を調節する。また、２軸のアクチュエータは、対物レンズを光ディスクDに接離する方向、及び光ディスクDの半径方向に移動させる。
ＰＵヘッドは、光ディスクDに対して読取パワーのレーザ光を照射し、光ディスクDからの反射光をフォトディテクタで検出する。これにより、光ディスクに記録されているデータを光学的に読み出す。
【００２３】
さらに、光ディスクドライブ１１８は、読取時や記録時に、レーザ光の照射位置を光ディスクDのトラックの中心に合わせるトラッキングサーボ制御と、レーザ光の合焦位置を光ディスクDの記録面に合わせるフォーカスサーボ制御と、を行っている。
【００２４】
光ディスクドライブ１１８にセットされている光ディスクDに記録されているコンテンツの中から所望のコンテンツが後述のユーザ操作入力部１１０で指定されると、光ディスクドライブ１１８は、ＰＵヘッドを該所望のコンテンツが記録されている光ディスク上の位置までシークさせる。その後、光ディスクドライブ１１８は、その位置から該所望のコンテンツを読取って、上記再生を行う。コンテンツは、画像データ又は音声データ等であり、例えばTV番組、又は音楽である。
ここで、該シークは、スレッドモータによるPUヘッドの物理的移動と、その物理的移動後のトラッキングと、を含む。
【００２５】
一方、ＨＤＤ１２０は、HD１２０a及び磁気ヘッド（不図示）等を内蔵し、該磁気ヘッドを用いることにより、HD１２０aに対してデータの記録および記録されているデータの読取を行う。詳述すると、データの読取は、HD１２０aの磁化パターンを磁気ヘッドで読取ることにより行なわれる。逆に、データの記録は、磁気ヘッドから磁界を印加することによってHD１２０aの磁化を反転させ、磁化パターンを生成することにより行なわれる。
【００２６】
ＨＤＤ１２０は、HD１２０aに記録されているコンテンツの中から所望のコンテンツが後述のユーザ操作入力部１１０で指定されると、HDD１２０は、磁気ヘッドを該所望のコンテンツが記録されているHD１２０a上の位置までシークさせる。その後、HDDは、その位置から該所望のコンテンツを読取って、上記再生を行う。
【００２７】
データプロセッサ１１９は、HD１２０a又は光ディスクＤから読取られたデータの一定量を一時的に保持可能なバッファメモリ１１９aを有する。
バッファメモリ１１９aは、２つのパーティションに分けられ、HD１２０aから読取られたデータを保持する領域と、光ディスクＤから読取られたデータを保持する領域と、を有する。
【００２８】
データプロセッサ１１９は、ＭＰＵ１０５の制御に従って、エンコーダ部１０３から出力された記録データを光ディスクドライブ１１８に供給したり、光ディスクＤの再生信号を光ディスクドライブ１１８から取り込み、デコーダ部１０６に供給したりする。
【００２９】
また、データプロセッサ１１９は、ＭＰＵ１０５の制御に従って、エンコーダ部１０３から出力された記録データをＨＤＤ１１８に供給したり、ＨＤＤ１１８からの再生信号をデコーダ部１０６に供給したりする。
【００３０】
また、データプロセッサ１１９は、ＭＰＵ１０５の制御に従って、光ディスクドライブ１１８から出力されたデータをＨＤＤ１２０に供給したり、ＨＤＤ１２０から出力されたデータを光ディスクドライブ１１８に供給したりする。
【００３１】
さらに、データプロセッサ１１９は、ＭＰＵ１０５の制御に従って、光ディスクＤ又はＨＤ１２０ａに記録されたデータを書替えたり、記録されたデータの削除を行う。
【００３２】
ＡＶ入力端子１０１は、記録対象である映像信号や音声信号等を装置本体１外部から入力し、接続されているエンコーダ部１０３に出力する。
チューナ１０２は、例えば放送事業者等に代表される情報配信者から配信されるテレビ放送信号が受信されるアンテナ（不図示）と接続されている。そして、チューナ１０２は、アンテナで受信したテレビ放送信号から選択されているチャンネルのテレビ放送信号を抽出し、エンコーダ部１０３に出力する。テレビ放送信号は、例えばＭＰＥＧ２で圧縮された信号である。
ＡＶ入力端子１０１及びチューナ１０２は、コンテンツが入力されてくる入力ソースとなっている。コンテンツは、画像データ又は音声データ等であり、例えばTV番組、又は音楽である。
【００３３】
エンコーダ部１０３は、ＡＶ入力端子１０１から入力された映像信号や音声信号をエンコードして圧縮し、記録データとして、データプロセッサ１１９に出力する。
【００３４】
また、エンコーダ部１０３は、チューナ１０２から入力されたテレビ放送信号から映像信号、音声信号を分離する。そして、エンコーダ部１０３は、映像信号や音声信号をエンコードして圧縮し、記録データとして、データプロセッサ１１９に出力する。
【００３５】
デコーダ部１０６は、記録再生部１０４から出力された再生信号をデコードして伸長する。デコーダ部１０６には、（デコーダ部１０６により）デコードされた再生信号を、テレビ等の再生装置に供給するためのＡＶ出力端子１０７が接続されている。
【００３６】
ＭＰＵ１０５には、タイマーマイコン１０９が接続されている。
タイマーマイコン１０９は、HD付きＤＶＤレコーダ１の時間管理に利用されるタイマー回路（時計ユニット）１０９ａを有している。タイマーマイコン１０９には、ユーザからの操作（指示）を受け付けるユーザ操作入力部１１０が接続されている。
【００３７】
また、ＭＰＵ１０５には、装置１本体の動作状態を表示する表示部１０８と、制御プログラム等を記憶するメモリ１１１と、この制御プログラム等を展開するワークフィールドとしてのRAM１１２と、が接続されている。
メモリ１１１は、例えばEEPROM、又はROMである。
上記制御プログラムは、複数のルーチンを同時並行で処理するマルチタスク機能を有している。
【００３８】
ＭＰＵ１０５は、高速且つ小容量のレジスタ１０５aを内蔵する。
ＭＰＵ１０５は、メモリ１１１に記憶されている制御プログラムに従い、光ディスクＤに対するデータの記録、再生及び削除と、ユーザ操作入力部１１０を介して入力された録画操作に対応する録画動作と、表示部１０８を用いた表示動作と、等を制御する。
【００３９】
また、ＭＰＵ１０５は、光ディスクドライブ１１８又はＨＤＤ１２０から光ディスクＤ又はハードディスク１２０aの管理情報を取得する。これにより、ＭＰＵ１０５は、光ディスクDおよびＨＤＤ１２０が内蔵するHD１２０aのデータ量、空き容量、両記憶手段に記録されているコンテンツの再生タイトルを確認する。
この再生タイトルは、ユーザ操作入力部１１０によって指定されることで、再生が行われる。
【００４０】
ユーザ操作入力部１１０は、録画キー、再生キー、録画又は再生を停止する停止キー、装置本体１の設定を変更等する設定キー、及びその他の操作キーを有しており、これらのキー操作に応じた制御信号をＭＰＵ１０５に伝送する。ユーザは、これらのキー操作により、録画、および再生等が可能である。
再生キーは、HD１２０ a又は光ディスクDに記録されているコンテンツの中から所望のコンテンツを再生するために、該所望のコンテンツを指定するキーである。
【００４１】
また、ユーザ操作入力部１１０は、図示しないリモコン（リモートコントロール端末）から送信された制御信号を受け入れるデータ受信部１１０aを有する。
【００４２】
表示部１０８は、例えばモニターである。
表示部１０８は、光ディスクDおよびＨＤＤ１２０に記録されているコンテンツの再生タイトルを表示する。
【００４３】
なお、ＨＤ付きＤＶＤレコーダ１の電源が入っている電源オン状態又はスタンバイ状態で、放送番組の録画開始が可能である。スタンバイ状態では、タイマーマイコン１０９、ＭＰＵ１０５、RAM１１２、及びメモリ１１１のみに電源が供給されている。
【００４４】
ここで、デコーダ１０８、表示部１０８、RAM１１２、タイマーマイコン１０９、データプロセッサ１１９及びＭＰＵ１０５が、本発明の「記録再生手段」に相当する。
【００４５】
図２は、本発明の実施形態であるHD付きＤＶＤレコーダのＭＰＵが行う動作を示すフローチャートである。
図２で示されている光ディスクマウントルーチンは、上記主制御プログラムに関連する（プレインストールされている）ルーチンであり、光ディスクDのマウントにより、主制御プログラムからコールされる。
光ディスクDがマウントされると、それがトリガとなり、ＭＰＵ１０５は、図２で示されている光ディスクマウントルーチンを実行し、以下の動作を行う。
まず、ＭＰＵ１０５は、光ディスクドライブ１１８にセットされている光ディスクDに記録されているコンテンツの再生タイトルを確認する（ｓ１）。この確認は、光ディスクドライブ１１８から光ディスクＤの管理情報を取得することにより行なわれる。
【００４６】
次に、ＭＰＵ１０５は、ＨＤＤ１２０が内蔵するHD１２０aに記録されているコンテンツの再生タイトルを確認する（ｓ２）。この確認は、ＨＤＤ１２０からハードディスク１２０aの管理情報を取得することにより行なわれる。
【００４７】
そして、ＭＰＵ１０５は、ｓ１及びｓ２において確認した、光ディスクD及びHD１２０aに記録されているコンテンツの再生タイトルを表示部１０８に表示させる（ｓ３）。
ユーザは、再生タイトルの一覧を表示部１０８で確認し、ユーザ操作入力部１１０の再生キーを用いて、HD１２０a又は光ディスクDに記録されているコンテンツの中から所望のコンテンツを再生するために、該所望のコンテンツを指定する。
【００４８】
ＭＰＵ１０５は、ユーザ操作入力部１１０において、光ディスクDに記録されているコンテンツの中から所望のコンテンツが指定されたか否かを判断する（ｓ４）。
【００４９】
光ディスクDに記録されているコンテンツの中から所望のコンテンツが指定されていないと判断すると、ＭＰＵ１０５は、ユーザ操作入力部１１０において、HD１２０aに記録されているコンテンツの中から所望のコンテンツが指定されたか否かを判断する（ｓ５）。
【００５０】
HD１２０aに記録されているコンテンツの中から所望のコンテンツが指定されていないと判断すると、ＭＰＵ１０５は、ユーザ操作入力部１１０において、コンテンツの指定以外の操作がなされたか否かを判断する（ｓ６）。コンテンツの指定以外の操作がなされたと判断すると、ＭＰＵ１０５は、本処理を終了する。コンテンツの指定以外の操作とは、例えば録画、又は録音である。終了後、ＭＰＵ１０５は、コンテンツの指定以外の操作を行うための制御を行う。
【００５１】
ｓ４〜６は、ユーザからの入力操作を待っている場面である。ｓ３〜５は、所謂ＭＰＵ１０５の入力待ち状態である。
【００５２】
ｓ４において、光ディスクDに記録されているコンテンツの中から所望のコンテンツが指定されたと判断すると、ＭＰＵ１０５は、該所望のコンテンツがHD１２０aに記録されているか否かを判断する（ｓ７）。
【００５３】
前記所望のコンテンツがHD１２０aに記録されていないと判断すると、ＭＰＵ１０５は、後述のｓ１０において、該所望のコンテンツをHD１２０aにダビング（記録）することを許可するか否かの表示を表示部１０８に行わせる（ｓ８）。この表示は、例えば「指定されたコンテンツをHD１２０aにダビングしても良いですか？」である。
ユーザは、この表示を見て、ユーザ操作入力部１１０の設定キーを用いて、許可するか否かを入力する。設定キーは、そのためのキーでもある。
【００５４】
ＭＰＵ１０５は、所望のコンテンツをHD１２０aにダビングすることが許可されたか否かを判断する（ｓ９）。この判断は、ユーザ操作入力部１１０からの制御信号で判断する。
【００５５】
許可されなかったと判断すると、つまり、ユーザ操作入力部１１０においてダビングすることを許可しない旨の操作があった場合、ＭＰＵ１０５は、光ディスクDから該所望のコンテンツを再生し（ｓ１２）、本処理を終了する。これにより、通常の再生が実行される。
詳述すると、光ディスクDに記録されている該所望のコンテンツを光ディスクドライブ１１８に読取らせ、データプロセッサ１１９を介してデコーダ１０６に入力することで、再生が行われる。
以上より、ユーザがHD１２０aへのダビングを望まない場合、該ダビングを取りやめることができるという効果を奏する。
【００５６】
一方、ｓ９において許可されたと判断すると、つまり、ユーザ操作入力部１１０においてダビングすることを許可する旨の操作があった場合、ＭＰＵ１０５は、所望のコンテンツをダビングしながら再生する（ｓ１０及びｓ１１）。具体的には、ＭＰＵ１０５は、所望のコンテンツをHD１２０aにダビングし（ｓ１０）、HD１２０aから再生する（ｓ１１）。ｓ１０及びｓ１１では、所謂追いかけ再生が行われる。
【００５７】
図３は、ダビングしながら再生されるコンテンツのデータストリームを示す図である。
図３を用いて、上記ｓ１０、ｓ１１を詳述する。
まず、ＭＰＵ１０５は、光ディスクDに記録されている所望のコンテンツを光ディスクドライブ１１８に等倍速よりも早い2倍速で読取らせ、且つ、読取られた該所望のコンテンツをHD１２０aへHDD１２０に順次記録させる（ｓ１０）。この際、データプロセッサ１９９とバッファメモリ１９９aとを介在させる。
なお、等倍速は、一般ユーザが耳にする通常の再生速度である。また、この実施形態では２倍速と予め設定しているが、４倍速、６倍速、又は８倍速等でも構わない。光ディスクドライブ１１８とHDD１２０とのデータ処理速度の差を考慮して予め設定すると良い。この際、高倍速に設定すればするほど、光ディスクドライブ１１８の読取エラーレートが大きくなる。
【００５８】
次に、ＭＰＵ１０５は、HD１２０aへ記録した順に該所望のコンテンツを読取ることをHDD１２０に行わせ、データプロセッサ１１９を介してデコーダ１０６に等倍速で入力する（ｓ１１）。
このようにして、追いかけ再生が行われる。追いかけ再生による利点は、再生終了と同時にユーザが電源をオフしても、その時点でHD１２０aへのダビングが終了している点である。
なお、バッファメモリ１９９aを介在させた理由は、追いかけ再生の際、磁気ヘッドは読取と記録とを交互に繰り返すことになるからである。つまり、磁気ヘッドの読取の際にも光ディスクドライブ１１８から次々に伝送されてくるデータを保持する必要があり、磁気ヘッドの記録の際にもデコーダ１０６へ次々に伝送しなければならないデータを保持する必要がある。
【００５９】
以上より、ダビング終了後の次回においてHD１２０aに記録されたコンテンツが指定された場合、短いシーク時間で済む。このダビング終了後の次回とは、ｓ５の判断肯定によりｓ１３でHD１２０aからコンテンツが再生される場合である。
また、ダビング終了後の次回において、HD１２０aに記録されたコンテンツと同一のコンテンツが光ディスクDから指定された場合、短いシーク時間で済む。このダビング終了後の次回とは、ｓ４の判断肯定およびｓ７の判断肯定により、ｓ１３でHD１２０aからコンテンツが再生される場合である。
【００６０】
従って、シーク時間による苛立ちをユーザに与えないようにすることができるという効果を奏する。
【００６１】
なお、ｓ４の判断肯定およびｓ７の判断肯定により、ｓ１３でHD１２０aからコンテンツが再生される場合とは、ｓ３において、光ディスクDに記録されているコンテンツの再生タイトルと同一のタイトルがHD１２０aに存在するにも係わらず、光ディスクDの再生タイトルの方を指定してしまったケースを想定している。
このケースの具体例は、光ディスクドライブ１１８のシーク時間の方がHDD１２０のシーク時間より非常に長いことを知らないユーザによる指定、又は操作ミスである。
【００６２】
上記効果とこの効果を達成するための動作とを以下詳述する。
【００６３】
まず、ｓ５において、HD１２０aに記録されているコンテンツの中から所望のコンテンツが指定されていると判断すると、ＭＰＵ１０５は、HD１２０aから該所望のコンテンツを再生し（ｓ１２）、本処理を終了する。
詳述すると、HD１２０aに記録されている該所望のコンテンツをHDD１２０読取らせ、データプロセッサ１１９を介してデコーダ１０６に入力することで、再生が行われる。
【００６４】
以上より、HDD１２０から再生するので、短いシーク時間で済む。
従って、シーク時間による苛立ちをユーザに与えないようにすることができるという効果を奏する。
【００６５】
次に、ｓ７において、所望のコンテンツがHD１２０aに記録されていると判断すると、ＭＰＵ１０５は、HD１２０aから該所望のコンテンツを再生し（ｓ１２）、本処理を終了する。
【００６６】
以上より、HDD１２０から再生するので、短いシーク時間で済む。
従って、光ディスクドライブ１１８のシーク時間の方がHDD１２０のシーク時間より非常に長いことを知らないユーザであっても、また、操作ミスをしてしまったユーザであっても、シーク時間による苛立ちを該ユーザに与えないようにすることができるという効果を奏する。
【００６７】
次に、本発明の他の実施形態であるHD付きＤＶＤレコーダについて説明する。
本発明の他の実施形態であるHD付きＤＶＤレコーダにおける構成は、図１のHD付きＤＶＤレコーダ１と同じである。
【００６８】
図４は、本発明の他の実施形態であるHD付きＤＶＤレコーダのＭＰＵが行う動作を示すフローチャートである。この動作は、図２におけるｓ１０及びｓ１１の動作の代わりにｓ２０及びｓ２１を加えた動作であり、その他の処理（ｓ１〜９、ｓ１２）については同じである。
【００６９】
ｓ９判断肯定により、ＭＰＵ１０５は、光ディスクDから該所望のコンテンツを再生する（ｓ２０）。この処理は、ｓ１２と同じ処理であり、フロントエンド側で行われる。
【００７０】
次に、ＭＰＵ１０５は、ｓ２０の処理と並行して、所望のコンテンツを光ディスクDからHD１２０aにダビングし（ｓ２１）、本処理を終了する。ｓ２１の処理は、バックエンド側で行われる。
詳述すると、ＭＰＵ１０５は、光ディスクDから該所望のコンテンツを光ディスクドライブ１１８に読取らせる。次に、ＭＰＵ１０５は、データプロセッサ１１９を制御して、光ディスクドライブ１１８から出力された所望のコンテンツをＨＤＤ１２０に供給する。そして、ＭＰＵ１０５は、ＨＤＤ１２０を制御して、所望のコンテンツをHD１２０aする。
【００７１】
このようにして、HD付きＤＶＤレコーダ１は、ダビングしながら再生する。
なお、ｓ２０及びｓ２１は、上述のｓ１０及びｓ１１と異なり、追いかけ再生ではない。つまり、ｓ２０及びｓ２１におけるコンテンツのデータストリームは、図３で示すようにＨＤ１２０aに一旦記録してから再生する方式を取らない。
【図面の簡単な説明】
【００７２】
【図１】本発明の実施形態であるHD付きＤＶＤレコーダの構成を示すブロック図
【図２】本発明の実施形態であるHD付きＤＶＤレコーダのＭＰＵが行う動作を示すフローチャート
【図３】ダビングしながら再生されるコンテンツのデータストリームを示す図
【図４】本発明の他の実施形態であるHD付きＤＶＤレコーダのＭＰＵが行う動作を示すフローチャート
【符号の説明】
【００７３】
１−ＨＤ付きＤＶＤレコーダ
１０１−映像信号入力端子
１０２−ＴＶチューナ
１０３−エンコーダ部
１０４−記録再生部
１０５−マイクロプロセッサユニット
１０５a−レジスタ
１０６−デコーダ部
１０７−映像出力端子
１０８−表示部
１０９−タイマーマイコン
１０９ａ−タイマー回路（時計ユニット）
１１０−ユーザ操作入力部
１１０ａ−データ受信部
１１１−メモリ
１１２−RAM
１１８−光ディスクドライブ
１１９−データプロセッサ
１１９a−バッファメモリ
１２０−ＨＤＤ
１２０a−ＨＤ
【図１】
2007213707.tif 000003
【図２】
2007213707.tif 000004
【図３】
2007213707.tif 000005
【図４】
2007213707.tif 000006